(57)【要約】      （修正有）【課題】各ショットやパッティングに適したアドレスやボールの位置等のセットアップ状態を習得するとともに、正確なストロークを練習するための持ち運び可能で簡易なゴルフ練習器具を提供する。【解決手段】一定長さの直線状チャンネル部材からなり、上面２ａにゴルフボール載置孔４を穿設するとともに、側面２ｂにブラケット５を突設したガイドプレート２と、ブラケット５を介してガイドプレート２と直交する方向に装着されるガイドバー３からなるゴルフ練習器具１を基本として提供する。また、一定長さの直線状チャンネル部材からなり、上面２ａに複数個のゴルフボール載置孔４を一定ピッチ毎に穿設するとともに、側面２ｂの略中央部にブラケット５を突設したガイドプレート２と、ブラケット５を介してガイドプレート２と直交する方向に装着されるガイドバー３によりゴルフ練習器具１を構成する。【選択図】図１
0003156409.tif 000002
【実用新案登録請求の範囲】
【請求項１】
一定長さの直線状チャンネル部材からなり、上面にゴルフボール載置孔を穿設するとともに、側面にブラケットを突設したガイドプレートと、ブラケットを介してガイドプレートと直交する方向に装着されるガイドバーからなることを特徴とするゴルフ練習器具。
【請求項２】
一定長さの直線状チャンネル部材からなり、上面に複数個のゴルフボール載置孔を一定ピッチ毎に穿設するとともに、側面の略中央部にブラケットを突設したガイドプレートと、ブラケットを介してガイドプレートと直交する方向に装着されるガイドバーからなることを特徴とするゴルフ練習器具。
【請求項３】
ゴルフボール載置孔は、上面中央部に密接したピッチで配置された一群のゴルフボール載置孔と、該一群のゴルフボール載置孔よりも広いピッチで配置された他群のゴルフボール載置孔からなる請求項２記載のゴルフ練習器具。
【請求項４】
ブラケットに挿入口を穿設し、該挿入口にガイドバーの一端部を挿通することにより、ガイドバーをガイドプレートに装着する請求項１，２又は３記載のゴルフ練習器具。
【請求項５】
ガイドプレートとガイドバーをＴ字状に組み付ける請求項１，２，３又は４記載のゴルフ練習器具。
【請求項６】
中央部に挿通口を有し、該挿通口にガイドバーの他端部を挿通してガイドバーに固定可能な円盤状の擬似カッププレートを装備した請求項１，２，３，４又は５記載のゴルフ練習器具。
【考案の詳細な説明】
【技術分野】
【０００１】
本考案は、各ショットやパッティングに適したアドレスやボールの位置等のセットアップ状態を習得するとともに、各ショットの正確なスイングやパッティングの正確なストロークを練習するための持ち運び可能で簡易なゴルフ練習器具に関するものである。
【背景技術】
【０００２】
ゴルフは、ハンディキャップ制度に象徴されるようにプレイヤーの技能レベルに応じて楽しむことができるスポーツではあるが、技能が向上すれば、より深いゴルフの楽しみを味わうことができるようになる。そのため、アマチュアゴルファーの多くが日々練習に励んでいる。しかしながら、ゴルフの技能を向上させるには、単に練習の量を増やし、ラウンドの数をこなせばよいものではない。何より、各ショットやパッティングに適したアドレスやボールの位置等の自分に適したセットアップ状態を習得する必要があり、セットアップ状態を習得して初めて各ショットやパッティングの正確なスイングも習得できるのである。そのためには、正しいセットアップ状態やスイング，ストロークを反復継続して練習することにより、体に覚え込むことである。一方、誤ったセットアップ状態やスイング，ストロークの練習は、百害あって一理なく技能の習得を妨げるばかりか、その修正に多大の時間を要することとなる。
【０００３】
しかしながら、アマチュアゴルファーにとって、どの状態が正しいセットアップ状態であり、どのようなスイングやストロークが正しいかを理解し、その習得のための適切な練習を行うことは困難である。正しくないセットアップ状態では、いくら練習を重ねてもその効果は上がらず、いつまでたってもボールの打ち出し方向，高さ，距離を体得することができず、むしろ練習すればするほど上達が妨げられることさえある。そこで、従来より練習の補助具として、ビデオやモニターを使用した大型の記録装置やシミュレーション装置、或いはゴルファーの体に装着して物理的にスイング等を矯正する装置が豊富に提供されている。また、ゴルファーが自ら所有して日常的に使用できる簡易な練習具も豊富に提供されており、例えばアドレスを正確に、しかも短期間に体得するために、ゴルファーに対し最適のスタンスを特定するとともに打球方向を指示するためのスタンス特定スケールと、足とボール間距離を特定するための足とボール間距離特定スケールとを、相互に交差状態に重ね合わせ、かつ各々に長さ方向に沿って形成したスリットを通じて蝶ねじである止め具で係合したアドレス体得用位置決め具が提供されている（特許文献１）。
【０００４】
スイングに関しては、ゴルファーのスタンス幅から直角に延びている第１部材と、ボールの目標線に対して平行に延びている第２部材とを、互いに直角となるよう選択的に相互に係合および固定させるテンション部材と、前記の第２部材に取付けられた反射面とからなるゴルフスイング修正具が提供されている（特許文献２）。更に、パッティングに関しては、正しい振り子運動によるパターストロークを身につけるために、上り勾配の傾斜をなすスロープを有するガイドレールからなるゴルフパター用練習機が提供されている（特許文献３）。
【先行技術文献】
【特許文献】
【０００５】
【特許文献１】実用新案登録第３００６９１０号公報
【特許文献２】特開平１１−１３７７６２号公報
【特許文献３】特開２００８−４３５１９号公報
【考案の概要】
【考案が解決しようとする課題】
【０００６】
しかしながら、大型の記録装置やシミュレーション装置等は練習場の施設としては適当であっても、各ゴルファーが携行して、自宅や練習場でいつでも利用するには適していない。更に、ゴルファーの体に装着して物理的にスイング等を矯正する装置もかえって自然なスイングを妨げる結果ともなり、実用性に欠けている。
【０００７】
特許文献１は、アドレスのためのスタンスの距離やボールとゴルファーの足との距離をスケールを使用して数値として習得しようとするものである。しかしながら、アドレスやボールの位置等のセットアップ状態は使用するクラブの種類や芝生の状態、ゴルファーの体格等によって異なるものであり、これを数値化して習得しようとするのは実際的でない。また、何よりセットアップ状態を習得するための基本となるゴルファーの体の中心線の位置を意識して練習をすることができない。
【０００８】
特許文献２は、スイングの修正を目的としたものであり、ゴルファーのスタンス幅に対してゴルフボールの位置を習得したり、ゴルファーのスタンス幅の習得は可能とされているが、ボールの位置を任意に変更して各クラブ毎に最適の位置を習得することができず、各クラブに応じたセットアップ状態でのスイングの習得をすることはできない。特許文献３は振り子運動によるパターストロークの習得には適しているが、ストローク量とボールの転がり距離等を習得するには適していない。
【０００９】
更に、特許文献１〜３はいずれもアドレスやスイング、パッティングといった特定の一つの項目の練習をするための器具であり、１つの器具でアドレスやボールの位置等セットアップ状態、更にはパッティングの練習を汎用的に行うことのできる器具は提供されていなかった。
【００１０】
そこで、本考案は上記した従来の課題を解決し、アマチュアゴルファーがゴルフの基本である各ショットやパッティングに適したアドレスやボールの位置等のセットアップ状態と各ショットやパッティングの正確なスイングを判りやすく練習することができるとともに、ゴルフ道具とともに持ち運び可能で簡易なゴルフ練習器具を提供することを目的とする。
【課題を解決するための手段】
【００１１】
本考案は上記目的を達成するために、一定長さの直線状チャンネル部材からなり、上面にゴルフボール載置孔を穿設するとともに、側面にブラケットを突設したガイドプレートと、ブラケットを介してガイドプレートと直交する方向に装着されるガイドバーからなるゴルフ練習器具を基本として提供する。また、一定長さの直線状チャンネル部材からなり、上面に複数個のゴルフボール載置孔を一定ピッチ毎に穿設するとともに、側面の略中央部にブラケットを突設したガイドプレートと、ブラケットを介してガイドプレートと直交する方向に装着されるガイドバーからなるゴルフ練習器具を提供する。
【００１２】
そして、ゴルフボール載置孔は、上面中央部に密接したピッチで配置された一群のゴルフボール載置孔と、該一群のゴルフボール載置孔よりも広いピッチで配置された他群のゴルフボール載置孔からなる構成、ブラケットに挿入口を穿設し、該挿入口にガイドバーの一端部を挿通することにより、ガイドバーをガイドプレートに装着する構成、ガイドプレートとガイドバーをＴ字状に組み付ける構成を提供する。更に、中央部に挿通口を有し、該挿通口にガイドバーの他端部を挿通してガイドバーに固定可能な円盤状の擬似カッププレートを装備した構成を提供する。
【考案の効果】
【００１３】
本考案によれば、ガイドバーによって体の中心線を物理的に把握することができるとともに、ガイドプレートによってショットやパッティングの打球方向を物理的に把握することができる。よって、常に体の中心線とボールの打球方向とを意識した状態でアドレスとボールの位置等のセットアップ状態を習得することができる。また、所定長さのガイドプレートに沿ってスイングやストロークの練習をすることにより、よりストレートなスイングとストロークを習得することができる。更にガイドプレートの上面に穿設したゴルフボール載置孔にゴルフボールを置いて練習することにより、ガイドプレートの示す直線をより立体的に認識してストレートなスイングとストロークを習得することができる。また、ガイドバーと擬似カッププレートを利用して実際のグリーン上のカップとポールを擬似的に作り出すことができ、パッティングの練習の雰囲気を実戦に近づけることができる。
【００１４】
更に、本考案にかかるゴルフ練習器具は、ガイドプレートとガイドバーの組立分解が可能であるため、所定のケースに入れて持ち運びが簡単で、ゴルフバッグへも各クラブとともに収納して携行することができる。そのため、任意の場所で取り出して組み立てることにより、気軽に使用することができる。
【図面の簡単な説明】
【００１５】
【図１】本考案にかかるゴルフ練習器具の全体斜視図。
【図２】本考案にかかるゴルフ練習器具の全体平面図。
【図３】ガイドプレートの斜視図。
【図４】ガイドプレートの平面図。
【図５】使用状態を示す説明図。
【図６】擬似カッププレートの斜視図。
【図７】使用状態を示す説明図。
【図８】使用状態を示す説明図。
【考案を実施するための形態】
【００１６】
以下図面に基づいて本考案にかかるゴルフ練習器具の実施形態を説明する。図１は本考案にかかるゴルフ練習器具の全体斜視図、図２はその全体平面図である。図において、１は本考案にかかるゴルフ練習器具であり、２はガイドプレート、３はガイドバーである。ガイドプレート２は一定長さの直線状チャンネル部材からなり、断面コ字状に形成されており、開口部２ｄと、開口部２ｄに対面する上面２ａと、上面２ａの両端部から垂下された側面２ｂ，２ｃとから構成されている。上面２ａ及び側面２ｂ，２ｃはいずれも長手方向において直線状に形成されている。上面２ａはゴルフボールの直径よりも長い幅寸法を有しており、ゴルフボール載置孔４が所定個数だけ穿設されている。図示例では、ゴルフ練習器具として長さ９０ｃｍのチャンネル部材を使用したが、長さ寸法に特に制限はなく、ショットやパッティングの打球方向をストレートに認識できる長さであれば、適宜のサイズを選択すればよい。
【００１７】
ゴルフボール載置孔４はゴルフボールの直径よりも小さい直径寸法を有し、その縁部でゴルフボールを支持することにより、ゴルフボールが揺動しないように、かつ、ゴルフボールが上面２ａから突出した状態に載置するためのものである。図示例では、上面２ａの中央部に７つのゴルフボール載置孔４ａ，４ｂ，４ｃ，４ｄ，４ｅ，４ｆ，４ｇが密接した等間隔のピッチで一群のゴルフボール載置孔４−イとして穿設されており、又上面２ａの一方の端部側には４つのゴルフボール載置孔４ｈ，４ｉ，４ｊ，４ｋが他群のゴルフボール載置孔４−ロとして、一群のゴルフボール載置孔４−イよりも広いピッチで配置されて穿設されている。これら一群のゴルフボール載置孔４−イ及び他群のゴルフボール載置孔４−ロの各ピッチに特に限定があるわけではなく、適宜のピッチを選択することが可能である。
【００１８】
ガイドプレート２の一方の側面２ｂの中央部近傍には、ブラケット５が突設されている。このブラケット５には、ガイドプレート２の長手方向に直行する方向に開口した挿入口５ａが穿設されている。ガイドバー３は棒状体であり、一端部３ａがブラケット５の挿入口５ａに挿脱自在であり、挿入口５ａにガイドバー３の一端部３ａを挿通することによって、図１，図２に示すように、ガイドバー３をガイドプレート２の長手方向に直行する状態に装着することができる。また、ガイドバー３の他端部には先鋭部３ｂと、先鋭部３ｂに連続して螺子溝３ｃが刻設されている。
【００１９】
図示例では、ブラケット５の個数は１個としたが、ブラケット５を所定間隔で複数突設するとともに、ガイドバー３をブラケット５の個数だけ準備して、複数本のガイドバー３をガイドプレート２に装着するようにしてもよい。その場合は、一本のガイドバー３に後述するように体の中心軸を合わせ、他のガイドバー３には、一方の足の踵（右利きの場合は左足踵）の位置を合わせる等練習において基準となる位置を複数のガイドバー３で目視できるように示すことができる。
【００２０】
ゴルフボール載置孔４は、図４に示すように、一群のゴルフボール載置孔４−イの中央部に位置するゴルフボール載置孔４ｄの中心線をブラケット５の中心線上に位置するように穿設し、ゴルフボール載置孔４ｄの左側にゴルフボールのピッチに合わせて密接した状態でゴルフボール載置孔４ｃ，４ｂ，４ａを配置し、同様にゴルフボール載置孔４ｄの右側にゴルフボールのピッチに合わせて密接した状態でゴルフボール載置孔４ｅ，４ｆ，４ｇを配置している。一方、他群のゴルフボール載置孔４−ロは、ゴルフボール載置孔４ｆの右側にゴルフボールのピッチ２つ分の間隔を空けて、ゴルフボール載置孔４ｈ，４ｉ，４ｊ，４ｋが配置されている。なお、図示例では、ブラケット５の左側に位置するガイドプレート２の上面２ａにはゴルフボール載置孔４を穿設していないが、これは実施例が右打ちのゴルファーを想定しているためである。左打ちのゴルファー用にあっては、他群のゴルフボール載置孔４−ロを上面２ａの左側の端部に配置すればよい。
【００２１】
図６は擬似カッププレート６の斜視図である。擬似カッププレート６は、中央部に挿通口６ａが穿設された内円盤６ｂと外リング６ｃを連結杆６ｄを介して連結することによって構成されている。なお、挿通口６ａの内周面には、ガイドバー３の螺子溝３ｃと螺合する螺子溝が刻設されている。また、外リング６ｃはゴルフのグリーンにおけるカップ孔と略同径に形成されている。挿通口６ａには、ガイドバー３の他端部に形成された先鋭部３ｂが挿通可能であって、図７に示すように、擬似カッププレート６の挿通口６ａにガイドバー３の先鋭部３ｂを挿通し、螺子溝３ｃを挿通口６ａに螺合することにより、ガイドバー３と擬似カッププレート６を一体化することができる。そして、先鋭部３ｂを地面に突き刺して起立させることにより、任意の位置に擬似カッププレート６を固定することができ、擬似カッププレート６を実際のグリーンおけるカップに見立ててパッティングの練習をすることができる。７はガイドバー３の一端部３ａに結着した旗であり、実際のグリーンにおけるポールの雰囲気を醸し出す演出をするためのものである。
【００２２】
次に本考案にかかるゴルフ練習器具の使用方法を説明する。種々のゴルフ理論や練習方法があるが、どのような理論や方法においても体の中心軸を正確に認識することが基本となる。本考案は、体の中心軸を物理的に視認した状態で各種の練習ができることが特徴である。使用に際しては、ガイドプレート２のブラケット５にガイドバー３を装着してＴ字状に形成した状態で、ガイドプレート２の側部２ｂ，２ｃ及びガイドバー３を地面に接地させた状態に設置する。次に、ガイドプレート２の一群のゴルフボール載置孔４−イを構成するゴルフボール載置孔４ａ〜４ｇの全部又は一部にゴルフボールｂを載置して準備が完了する。
【００２３】
そして、図５に示す練習者Ｐはガイドプレート２の長手方向に正対し、ガイドバー３を跨いで、自己の体の中心線をガイドバー３の真上に位置するように構える。このように常にガイドバー３を体の中心線に合わせることによって、自己の体の中心線を常に目視した状態で意識することが可能となる。また、ガイドプレート２によって、ショットやパッティングの打球方向をストレートに認識することができる。よって、使用するクラブの種類に応じてガイドプレート２に設けられた複数のゴルフボール載置孔４上に載置されたゴルフボールｂとガイドバー３によって、常に正確なアドレスとゴルフボールＢの位置を認識して正確なセットアップ状態を習得することができる。
【００２４】
先ず、ショットの練習について説明する。ショットは使用するクラブの種類によって、ゴルフボールＢの標準的な載置場所が確立している。そこで、練習者Ｐは、図５に示すようにガイドバー３を跨いで、体の中心線をガイドバー３の真上に合わせて、両足のアドレスを決定する。このとき、体の中心線を表すガイドバー３に対して、一群のゴルフボール載置孔４−イに載置されたゴルフボールｂの中から基準とするゴルフボールｂを目視して、基準とするゴルフボールｂの位置によってアドレスの位置を習得する。また、ショットに使用するゴルフボールＢの位置も一群のゴルフボール載置孔４−イに載置されたゴルフボールｂの中から基準とするゴルフボールｂを目視して、基準とするゴルフボールｂの位置によって体の中心線（ガイドバー３）からの位置を習得するようにする。そして、練習に使用する各種のゴルフクラブ８を、打球の方向を示しているガイドプレート２の長手方向の示す方向に沿ってストレートにスイングする練習を行う。
【００２５】
練習において打撃するゴルフボールＢの設置位置は、例えばショートアイアンであればゴルフボール載置孔４ｄ前とし、ミドルアイアンであればゴルフボール載置孔４ｃの前とし、ドライバーであればゴルフボール載置孔４ａの前とする等練習者Ｐの体の中心軸を基準として、ゴルフボール載置孔４上に載置されたゴルフボールｂの位置を目印として自分にあったゴルフボールＢの設置位置を習得するようにする。なお、打撃するゴルフボールＢの設置位置は練習者Ｐの体格や使用するクラブに応じて、適宜選択するものであり、本考案を使用することによって、クラブ毎の最適の位置を体の中心軸を基準として習得することができる。
【００２６】
このようにゴルフボール載置孔４にゴルフボールｂを載置することで、ショットの際、ゴルフボールＢの位置をより強くイメージしてストレートに振り抜く練習が可能となる。さらに、極端なインサイドからの振り下ろしに際してはクラブヘッドがゴルフボール載置孔４に載置したゴルフボールｂに接触することから、よりストレートなスイングプレーンを意識した練習が可能となる。また、ゴルフボール載置孔４にはゴルフボールｂを載置しているのみであって固定していないため、仮にクラブヘッドがゴルフボールｂに当たってもクラブ等を損傷することがない。
【００２７】
パッティングの練習については、前記したショットの練習と同様にガイドバー３を練習者Ｐの体の中心線に合わせてアドレスを決定し、図２に示すようにパターヘッド９をガイドバー３の延長上に載置し、その前にゴルフボールＢを位置させて、ガイドプレート２の側面２ｃと平行にパターヘッド９のストロークを行うことにより、パッティングの練習を行う。このとき、パターヘッド９のストローク量と転がり量を一群のゴルフボール載置孔４−イや他群のゴルフボール載置孔４−ロに載置されたゴルフボールｂの位置を基準として習得することができる。
【００２８】
パッティング時において等間隔に設けたゴルフボール載置孔４を目安として転がり距離、並びに方向の反復練習を行うことができる。また、パッティングに際しては、何よりパターヘッド９の引っかけや押し出しをしないことが必要となる。この押し出しや引っかけの原因は円弧状のパッティングストロークが原因であるので、ガイドプレート２に沿ってストレートなストロークを練習することにより、目標に対して正確に打ち出すことを習得することができる。また、パッティングにおいて、セットアップ時にパターヘッド９は体のセンター（最下点）とし、その一側に置かれたゴルフボールＢを首の付け根を軸として打撃することにより、ゴルフボールＢは最下点からアッパーに振り抜かれるため、正回転で転がりのよいボールを打つことを習得することができる。
【００２９】
また、ガイドバー３をガイドプレート２から取り外し、ガイドバー３の先鋭部３ｂを擬似カッププレート６の挿通口６ａに挿通し、螺子溝３ｃを挿通口６ａの内周面に螺合してから適宜の芝生上に突き刺して固定することにより、図８に示すように擬似カッププレート６をグリーン上のカップに見立ててパッティングの練習を行うことができる。
【産業上の利用可能性】
【００３０】
以上詳細に説明したように、本考案によれば、ガイドバーによって体の中心線を物理的に把握することができるとともに、ガイドプレートによってショットやパッティングの打球方向を物理的に把握することができる。よって、常に体の中心線とボールの打球方向とを意識した状態でアドレスとボールの位置等のセットアップ状態を習得することができる。また、所定長さのガイドプレートに沿ってスイングやストロークの練習をすることにより、よりストレートなスイングとストロークを習得することができる。更にガイドプレートの上面に穿設したゴルフボール載置孔にゴルフボールを置いて練習することにより、ガイドプレートの示す直線をより立体的に認識してストレートなスイングとストロークを習得することができる。また、ガイドバーと擬似カッププレートを利用して実際のグリーン上のカップとポールを擬似的に作り出すことができ、パッティングの練習の雰囲気を実戦に近づけることができる。
【００３１】
更に、本考案にかかるゴルフ練習器具は、ガイドプレートとガイドバーの組立分解が可能であるため、所定のケースに入れて持ち運びが簡単で、ゴルフバッグへも各クラブとともに収納して携行することができる。そのため、任意の場所で取り出して組み立てることにより、気軽に使用することができる。
【符号の説明】
【００３２】
１…ゴルフ練習器具
２…ガイドプレート
２ａ…上面
２ｂ，２ｃ…側面
２ｄ…開口部
３…ガイドバー
３ａ…一端部
３ｂ…先鋭部
３ｃ…螺子溝
４…ゴルフボール載置孔
４−イ，４ａ，４ｂ，４ｃ，４ｄ，４ｅ，４ｆ，４ｇ…一群のゴルフボール載置孔
４−ロ，４ｈ，４ｉ，４ｊ，４ｋ…他群のゴルフボール載置孔
５…ブラケット
５ａ…挿入口
６…擬似カッププレート
６ａ…挿通口
６ｂ…内円盤
６ｃ…外リング
６ｄ…連結杆
７…旗
８…ゴルフクラブ
Ｂ，ｂ…ゴルフボール
Ｐ…練習者
【図１】
0003156409.tif 000003
【図２】
0003156409.tif 000004
【図３】
0003156409.tif 000005
【図４】
0003156409.tif 000006
【図５】
0003156409.tif 000007
【図６】
0003156409.tif 000008
【図７】
0003156409.tif 000009
【図８】
0003156409.tif 000010